(57)【要約】【課題】肘掛け付きの座椅子として利用しうる一方、その上で腹筋運動を手軽に行うことができる身体鍛錬具としても好適に利用できる座椅子を提供する。【解決手段】床面に載置されかつ利用者の臀部を支持する座部２と、該座部２に傾動可能に枢着されかつ利用者の背中を支持する背もたれ部３とを有する座椅子１である。座部２の両側に、該座部の座面よりも高い位置で前後にのびる肘掛け部材４が設けられる。肘掛け部材は、前後にのびる肘掛け状態と、着座する利用者Ａの脚部Ｌと交差する向きで該脚部Ｌの上をのびる脚部押さえ状態Ｙ２とに向き換え可能に設けられる。【選択図】図８
0003146433.tif 000002
【実用新案登録請求の範囲】
【請求項１】
床面に載置されかつ利用者の臀部を支持する座部と、該座部に傾動可能に枢着されかつ利用者の背中を支持する背もたれ部とを有する座椅子であって、
前記座部の両側に、該座部の座面よりも高い位置で前後にのびる肘掛け部材が設けられ、かつ
前記肘掛け部材は、前記前後にのびる肘掛け状態と、座部に着座する利用者の脚部と交差する向きで該脚部の上をのびる脚部押さえ状態とに向き換え可能に設けられることを特徴とする座椅子。
【請求項２】
前記肘掛け部材は、座部の両側に立設された支持部の上端に略垂直軸周りに回動可能に装着される請求項１記載の座椅子。
【請求項３】
前記肘掛け部材は、肘掛け状態での前端側に前記回動の中心がある請求項２記載の座椅子。
【請求項４】
前記肘掛け部材は、前記支持部に高さ調節可能に設けられる請求項２又は３記載の座椅子。
【請求項５】
前記座部は、背もたれ部と反対側の端部に、上方に向かって突出する隆起部を具える請求項１ないし４のいずれかに記載の座椅子。
【請求項６】
前記肘掛け部材を、肘掛け状態又は脚部押さえ状態に固定する固定手段を具える請求項１ないし５のいずれかに記載の座椅子。
【考案の詳細な説明】
【技術分野】
【０００１】
本考案は、肘掛け付きの座椅子として利用しうる一方、その上で腹筋運動を手軽に行うことができる身体鍛錬具としても好適に利用できる座椅子に関する。
【背景技術】
【０００２】
従来、床面に載置されかつ利用者の臀部を支持する座部と、該座部に傾動可能に枢着されかつ利用者の背中を支持する背もたれ部とを有する座椅子が知られている。
【０００３】
ところで、近年の健康志向の高まりにより、自宅内で気軽に行える鍛錬として腹筋運動が広く普及している。しかしながら、腹筋運動は手軽に行える反面、脚部を押さえて行わないと、腰への負担が大きいという欠点がある。
【考案の開示】
【考案が解決しようとする課題】
【０００４】
考案者らは、鋭意研究を重ねた結果、利用者の臀部が支持される座部の両側に肘掛け部材を設け、該肘掛け部材を、前後にのびる肘掛け状態と、着座する利用者の脚部と交差する向きで該脚部の上をのびる脚部押さえ状態とに向き換え可能に設けることを基本として、普段は肘掛け付きの座椅子として利用しうる一方、肘掛け部材を向き換えして脚部を押さえることで腹筋運動を手軽に行うことができる座椅子を提供することを見いだした。
【０００５】
以上のように、本考案は、一般的な肘掛け付きの座椅子として利用しうるとともに、その上で手軽に腹筋運動を行うことが可能な座椅子を提供することを主たる目的としている。
【課題を解決するための手段】
【０００６】
請求項１記載の考案は、床面に載置されかつ利用者の臀部を支持する座部と、該座部に傾動可能に枢着されかつ利用者の背中を支持する背もたれ部とを有する座椅子であって、前記座部の両側に、該座部の座面よりも高い位置で前後にのびる肘掛け部材が設けられ、かつ前記肘掛け部材は、前記前後にのびる肘掛け状態と、座部に着座する利用者の脚部と交差する向きで該脚部の上をのびる脚部押さえ状態とに向き換え可能に設けられることを特徴とする。
【０００７】
また請求項２記載の考案は、前記肘掛け部材は、座部の両側に立設された支持部の上端に略垂直軸周りに回動可能に装着される請求項１記載の座椅子である。
【０００８】
また請求項３記載の考案は、前記肘掛け部材は、肘掛け状態での前端側に前記回動の中心がある請求項２記載の座椅子である。
【０００９】
また請求項４記載の考案は、前記肘掛け部材は、前記支持部に高さ調節可能に設けられる請求項２又は３記載の座椅子である。
【００１０】
また請求項５記載の考案は、前記座部は、背もたれ部と反対側の端部に、上方に向かって突出する隆起部を具える請求項１ないし４のいずれかに記載の座椅子である。
【００１１】
また請求項６記載の考案は、前記肘掛け部材を、肘掛け状態又は脚部押さえ状態に固定する固定手段を具える請求項１ないし５のいずれかに記載の座椅子である。
【考案の効果】
【００１２】
請求項１に係る考案では、座部の両側に、該座部の座面よりも高い位置を前後にのびる肘掛け部材が設けられる。この肘掛け部材は、前後にのびる通常の肘掛け状態と、座部に着座する利用者の脚部と交差する向きで該脚部の上をのびる脚部押さえ状態とに向き換え可能に設けられる。従って、請求項１に係る考案では、肘掛け付きの一般的な座椅子として利用しうるのはもとより、必要時には、背もたれ部をやや後ろに倒しかつ肘掛け部材を向き換えして脚部を押さえることで腹筋運動を手軽に行うことができる。
【００１３】
また、請求項２に係る考案では、肘掛け部材が、座部の両側に立設された支持部の上端に略垂直軸周りに回動可能に装着される。これにより、肘掛け部材の向き換えを容易に行うことができる。
【００１４】
また、請求項３に係る座椅子は、肘掛け部材が、肘掛け状態での前端側に前記回動の中心を具える。従って、肘掛け部材を脚部押さえ状態に向き換えしたときに、該肘掛け部材を、座部に着座する利用者の太股（腹筋運動に最適な位置）に確実に位置させることが可能になる。
【００１５】
また、請求項４に係る考案では、肘掛け部材は、前記支持部に高さ調節可能に設けられる。これにより、利用者の体格や腹筋運動の方法に合わせて肘掛け部材を調節して好適に使用することができる。
【００１６】
また、請求項５に係る座椅子は、座部が、背もたれ部と反対側の端部に、上方に向かって突出する隆起部を具える。脚を真っ直ぐに伸ばした状態で腹筋運動を行った場合、腰への負担が大きくなる傾向がある。しかし、このような隆起部を設けることにより、利用者は、脚を山形に折り曲げて楽な着座姿勢を保つことができる。従って、請求項５に係る座椅子は、利用者に、腰への負担が少ない姿勢で腹筋運動を行わせるのに役立つ。
【考案を実施するための最良の形態】
【００１７】
以下、本考案の実施の一形態を図面に基づき説明する。
図１は本実施形態の座椅子１の斜視図、図２は図１からカバー材を取り除いて内部構造を示す透視図、図３は図１の側面図である。
【００１８】
本実施形態の座椅子１は、床面Ｆに載置されかつ利用者の臀部を支持する座部２と、該座部２に傾動可能に枢着されかつ利用者の背中を支持する背もたれ部３と、座部２の両側に、該座部２の座面よりも高い位置で前後にのびることにより着座する利用者の肘を載せることができる肘掛け部材４とを具える。なお、図１に示されるように、座椅子１の前後方向は符号Ｘで、幅方向（左右方向）は符号Ｙでそれぞれ示される向きとする。
【００１９】
図２に示されるように、座部２は、金属製のパイプ材が略矩形状に枠組みされて形成された座部フレーム２Ａと、該座部フレーム２Ａに支持されたポリエチレンフォームやウレタン等のクッション材２Ｂとを含む。なおクッション材２Ｂは、例えば、座部フレーム２Ａに樹脂テープなどの裏当て材（図示省略）を架設して支持される。
【００２０】
本実施形態の座部フレーム２Ａは、平面視略コ字状の後部２Ａ１と、これに向き合う平面視略コ字状の前部２Ａ２と、これらを傾動可能かつ複数の所定の角度を保持可能に連結するラチェット式の傾動金具２Ａ３とを含む。従って、座部２の前部２Ａ２は、水平状態から上に向けて傾動できかつその位置を保持することができる。これは、図３に示されるように、座部２の前側を上方に突出させ、着座する利用者の脚部の血流を心臓に帰還させるのに役立つ。なお、後部２Ａ１には、座椅子１の幅方向にのびてねじり剛性を高めるための横板２Ａ４が架け渡されている。
【００２１】
前記背もたれ部３は、金属製のパイプ材が略コ形状に枠組みされた背もたれフレーム３Ａと、該背もたれフレーム３Ａに支持されたクッション材３Ｂとを含む。
【００２２】
背もたれフレーム３Ａの下端は、傾動可能かつ複数の所定の角度を保持可能に連結するラチェット式の傾動金具３Ｃを介して座部フレーム２Ａの後部２Ａ１に連結される。
【００２３】
傾動金具３Ｃには、レバー３Ｃ１が付設される。傾動金具３Ｃは、レバー３Ｃ１の引き上げにより、ロックを解除して背もたれフレーム３Ａを傾動自在とする一方、レバー３Ｃ１を元に戻すことにより、その傾斜位置を保持できる。本実施形態の背もたれ部３は、図３に示されるように、水平な状態からほぼ垂直の状態まで上に向けて傾動できる。従って、利用者は、好みの位置に背もたれ部３を傾けて座椅子１を利用できる。座椅子１の後方への転倒を防止するために、傾動金具３Ｃは、例えば、座部２の後端よりもやや前側に設けられるのが望ましい。
【００２４】
また、本実施形態の背もたれフレーム３Ａは、連結金具３Ｃに連結された内側部３Ａ１と、この内側部３Ａ１にヒンジ金具３Ｄを介して前側にのみ傾動可能に連結された外側部３Ａ２とを含む。このようなヒンジ金具３Ｄは、図１４に示されるように、座椅子１の背もたれ部３を座部２とほぼ平行ないしはそれよりも近づける向きにコンパクトに折り畳むのに役立つ。なお、座椅子１の通常使用時、背もたれ部３の外側部３Ａ２が自然に傾動落下しないように、ヒンジ金具３Ｄには、その枢着部に適度な抵抗を有するものが好ましい。
【００２５】
なお、座部２及び背もたれ部３は、例えば布材又は皮革材を用いたカバー材で表面が覆われるのが望ましい。
【００２６】
図２に示されるように、本実施形態の肘掛け部材４は、金属製かつ水平面内をほぼ直線状にのびる芯材４Ａと、該芯材４Ａの周りを覆うクッション材４Ｂとを含んで構成される。また、芯材４Ａには、下方にのびるガイド軸５が固着されている。
【００２７】
前記ガイド軸５は、座部２の両側に立設された支持部６に挿入される。本実施形態の支持部６は、上端部が開口して上下にのびる筒状であり、取付金具７を介して座部２の側部に固定される。また、図４に示されるように、支持部６の上端部には、軸方向にのびるスリット６ａが形成される。さらに支持部６は、ガイド軸５の外径よりもわずかに大きい内径を有する。これにより、ガイド軸５は、支持部６に対して軸方向及び円周方向にスライドできる。
【００２８】
取付金具７は、例えば座椅子１の幅方向（左右方向）にのびる長孔７ａが形成された板状で構成される。該取付金具７の内側部７ｉは、座部フレーム２Ａの例えば横板２Ａ４の裏面にボルト８で固着されるとともに、外側部７ｏは座部２の外側に張り出し前記支持部６の底部が固着される。内側部７ｉの長孔７ａは、利用者の体型に応じて、肘掛け部材４の幅方向の位置を調節するのに役立つ。
【００２９】
図５には、取付金具７が座部フレーム２Ａに固着された状態の断面図を示す。本実施形態では、取付金具７の外側部７ｏの裏面には、床面Ｆの傷付きを防止するためのゴム材等の緩衝材９が貼付されている。また、取付金具７は、断面クランク状に屈曲する。これにより、内側部７ｉを床面Ｆから浮かし、ボルト８の頭等が床面Ｆに接触するのを防止することができる。さらに好ましい態様として、取付金具７の内側部７ｉは、例えば面ファスナ等で脱着自在なカバー材１０で被覆されるのがより望ましい。
【００３０】
また、図４に示されるように、支持部６に挿入されたガイド軸５は、いわゆるワンタッチ式のクランプ具１１によって支持部６に固定される。該クランプ具１１は、支持部６の上端に装着されかつ一部が切り欠かれたリング部１１ａと、このリング部１１ａの離間部を支持部６に締め付けるボルト１１ｂ及びナット１１ｃと、前記ボルト１１ｂに傾動可能に枢着されたカムレバー１１ｄとから構成される。
【００３１】
カムレバー１１ｄは、図においてａ方向の傾動操作により、そのカム部１１ｄ１がリング部１１ａをさらに締め上げる。このような締め上げは、上端にスリット６ａが形成された支持部６の上端部の内径を減じ、摩擦力により支持部６に対してガイド軸５の位置を固定しうる。なお、本実施形態のように、支持部６に対する摩擦力を高めるために、ガイド軸５の表面に平目ローレットを形成することも望ましい。
【００３２】
逆に、カムレバー１１ｄのｂ方向の傾動操作により、そのカム部１１ｄ１がリング部１１ａを緩めることができる。これにより、支持部６の上端部の内径を元に戻し、支持部６に対してガイド軸５を回転させかつ高さ方向に移動させることができる。
【００３３】
なお、クランプ具１１を緩めた状態で肘掛け部材４を引き上げた際に、ガイド軸５が支持部６から完全に抜けてしまうと、その都度、ガイド軸５を入れ直す必要があり使い勝手が悪い。このような抜けを防止するために、抜け止め防止手段が設けられるのが望ましい。本実施形態では、図６（ａ）に示されるように、一端２０ａが肘掛け部材４側にかつ他端２０ｂが支持部６側に固定されたひも状部材２０をガイド軸５及び支持部６の中空部に通される。該ひも状部材２０は、図６（ｂ）に示されるように、肘掛け部材４を持ち上げた際に、ガイド軸５が支持部６から完全に抜けるのを防ぐ長さに調節されている。これにより、肘掛け部材４の高さ調節時の使い勝手を向上することができる。なお抜け止め手段としては、このような態様に限定されるものではない。
【００３４】
以上のような肘掛け部材４は、座部２の両側部に立設された支持部６に対して、高さ方向及び略垂直軸周りの回動方向に無段階で位置調整できる。これにより、本実施形態の肘掛け部材４は、図１及び図７に示されるように、長手方向が前後にのびる肘掛け状態Ｙ１と、図８に示されるように、座部２に着座する利用者Ａの脚部Ｌと交差する向きで該脚部Ｌの上をのびる脚部押さえ状態Ｙ２とに略垂直軸周りに回動して向き換えできかつそれらの位置を固定可能に設けられる。
【００３５】
従って、本実施形態の座椅子１は、肘掛け付きの普通の座椅子として利用しうるのは勿論のこと、図８のように、例えば背もたれ部３をより後傾させ、かつ肘掛け部材４を向き換えして座部２に着座する利用者Ａの脚部Ｌを上から押さえることにより、該座椅子１の上で腹筋運動を手軽に行うことができる。
【００３６】
ここで、脚押さえ状態Ｙ２に関して、肘掛け部材４の「脚部と交差する向き」とは、図７に示されるように、肘掛け部材４の長手方向が座椅子１の幅方向と実質的に平行（換言すれば、平面視真っ直ぐに伸ばされた脚部Ｌの長手方向と実質的に直角）である態様に限定されるものではなく、腹筋運動時に利用者の脚部Ｌを十分に上から押さえることができれば、例えば平面視において両側の肘掛け部材４がハ字状に傾いても良い。従って、上記概念には、種々の態様が含まれ得る。
【００３７】
本実施形態の座椅子１は、図３及び図９に示されるように、肘掛け部材４が、肘掛け状態Ｙ１での前端側に前記回動の中心ＣＬを具える。即ち、肘掛け状態Ｙ１において、肘掛け部材４は、その前側で支持部６に支持される。このため、肘掛け部材４は、脚押さえ状態Ｙ２に向き換えしたときに、座部２に着座する利用者の太股の上に確実に位置できる。これは、腰への負担を減らす腹筋運動を行うのに役に立つ。
【００３８】
もし、肘掛け部材４が、その後端側に回動の中心ＣＬを具える場合、脚押さえ状態Ｙ２に向き換えすると、肘掛け部材４は座部２に着座する利用者の腹部近傍に位置する傾向がある。このような状態では、腹筋運動時に脚部を押さえる力が不足し、腰への負担を十分に減らすのが難しい。
【００３９】
また、本実施形態の座椅子１は、肘掛け部材４が、支持部６に高さ調節可能に設けられる。これにより、利用者Ａの体格、例えば脚部Ｌの太さ及び長さ、さらには腹筋運動の方法に合わせて肘掛け部材４の位置を調節して好適に使用することができる。例えば、図１０に示されるように、トレーニング熟練者であれば、肘掛け部材４をより高く位置させ、そこに脚部Ｌを載せて膝裏で挟むような状態で、高い負荷を伴う腹筋運動を行うこともできる。
【００４０】
また、本実施形態の座部２は、図８及び図９に示されるように、背もたれ部３と反対側の前端を上に向けて突出させることができるのは前述の通りである。これは、座部２に着座する利用者Ａの脚部Ｌを山形に折り曲げる隆起部１２として機能する。通常、脚を真っ直ぐに伸ばした状態で腹筋運動を行うと、腰への負担が大きくなる。しかし、このような隆起部１２を設けることにより、利用者Ａは、脚部Ｌを山形に折り曲げて楽な姿勢を保ちかつ腰への負担が少ない姿勢で腹筋運動を行うことが可能になる。さらに、隆起部１２は、肘掛け状態Ｙ１においても、利用者の膝を自然な状態で折り曲げ、楽な着座姿勢を保つのにも役立つ。
【００４１】
図１１には、隆起部１２の他の実施形態が示される。この実施形態の隆起部１２は、座部２の前端部のクッション材２Ｂを厚肉とすることで形成される。従って、座部２は、常に前端部が隆起した状態である。
【００４２】
図１２には、隆起部１２のさらに他の実施形態が示される。図１２（ａ）に示されるように、この実施形態の座部２は、背もたれ部３側の主部２Ｍと、その前端の上縁２Ｍｅに変形自在な可撓性材料（通常は、カバー材）からなる継ぎ材Ｊで連結された小長さの副部２Ｓとを含んで構成される。そして、図１２（ｂ）に示されるように、副部２Ｓを１８０度反転させて主部２Ｍの上に載せることにより、隆起部１２を形成できる。この際、主部２Ｍと副部２Ｓとの当接面に、それぞれ面ファスナ１３及び１４などを設け、隆起部１２の形成時に副部２Ｓの主部２Ｍからの容易なずれ落ちなどを防止することが望ましい。
【００４３】
また、本実施形態の座椅子１は、種々の変形して実施することが可能である。例えば、図１３に示されるように、肘掛け部材４を支持部６から抜き去り、そこに各種のアタッチメントが装着されても良い。つまり、アタッチメントは、肘掛け部材４とをセッとしてまたは単体のオプションとして販売されても良い。
【００４４】
図１３のアタッチメントは、腹筋運動専用の連結棒１５である。該連結棒１５は、左右の支持部６に装着される垂直部１５ａと、それらの間を継いで水平にのびる水平部１５ｂとを有する略コ字状をなす。また、水平部１５ｂには、太股との接触時の衝撃を緩和するクッション材１６などが巻き付けられるのが良い。このような連結棒１５は、左右方向に隙間なく腹筋運動時の太股を上から押さえることができるので、太股押さえ効果をより確実なものとする。なお、アタッチメントとしては、このような腹筋専用のものの他、読書用のミニテーブルなどが付設されたものでも良い（図示省略）。
【００４５】
さらに、図１４に示されるように、肘掛け部材４は、背もたれ部３が座部２側に折り畳まれた際に、背もたれ部３の上に位置させることにより、折畳み状態を保持する押さえ具として機能させることもできる。
【００４６】
以上、本考案の実施形態について説明したが、本考案は、上記の具体的な実施形態に限定されるものではなく、本考案の要旨を逸脱しない範囲において種々変更することができる。例えば、支持部６は、筒状で構成されているが、これがガイド軸５を挿入可能な縦穴を有する側壁状であっても良い。
【図面の簡単な説明】
【００４７】
【図１】本考案の実施形態を示す座椅子の斜視図である。
【図２】その内部構造を示す透視図である。
【図３】図１の側面図である。
【図４】肘掛け部材の分解斜視図である。
【図５】取付金具の断面図である。
【図６】（ａ）、（ｂ）は抜け止め手段の実施形態を示す断面図である。
【図７】肘掛け状態Ｙ１での使用状態を示す座椅子の斜視図である。
【図８】脚押さえ状態Ｙ２での使用状態を示す座椅子の斜視図である。
【図９】脚押さえ状態Ｙ２での使用状態を示す座椅子の側面図である。
【図１０】脚押さえ状態Ｙ２での他の使用状態を示す座椅子の側面図である。
【図１１】隆起部の他の実施形態を示す側面図である。
【図１２】（ａ）、（ｂ）は隆起部の他の実施形態を示す断面図である。
【図１３】他の実施形態を示す座椅子の斜視図である。
【図１４】折り畳んだ状態の座椅子の斜視図である。
【符号の説明】
【００４８】
１  座椅子
２  座部
３  背もたれ部
４  肘掛け部材
５  ガイド軸
６  支持部
１２  隆起部
【図１】
0003146433.tif 000003
【図２】
0003146433.tif 000004
【図３】
0003146433.tif 000005
【図４】
0003146433.tif 000006
【図５】
0003146433.tif 000007
【図６】
0003146433.tif 000008
【図７】
0003146433.tif 000009
【図８】
0003146433.tif 000010
【図９】
0003146433.tif 000011
【図１０】
0003146433.tif 000012
【図１１】
0003146433.tif 000013
【図１２】
0003146433.tif 000014
【図１３】
0003146433.tif 000015
【図１４】
0003146433.tif 000016